(57)【要約】      （修正有）【課題】着脱自在に取り付けた装飾具を備える装飾靴。【解決手段】使用者が装着したときの足首前方の少なくとも全部または一部を覆い、靴底と結合して形成されたアッパー５と、少なくとも２ヶ所以上で足首前方の該アッパー５の外側に固着され、固着された部分の間に中空状部が形成されたタグ６と、裏側に取付部を備え、該取付部を中空状部に挿入することによりタグ６に取り付けられる装飾具３とを有するものである。【選択図】図２
2012143546.tif 000002
【特許請求の範囲】
【請求項１】
着脱自在に取り付けた装飾具を備える装飾靴であって、
使用者が装着したときの足首前方の少なくとも全部または一部を覆い、靴底と結合して形成されたアッパーと、
少なくとも２ヶ所以上で前記足首前方の該アッパーの外側に固着され、該固着された部分の間に中空状部が形成されたタグと、
裏側に取付部を備え、該取付部を前記中空状部に挿入することにより前記タグに取り付けられる装飾具と、
を有することを特徴とする装飾靴。
【請求項２】
前記タグは、３ヶ所で該アッパーの外側に固着され、該固着された部分の間に中空状部が形成され
前記装飾具は、前記取付部をそれぞれの前記中空状部に挿入することにより前記タグに取り付けられたことを特徴とする請求項１記載の装飾靴。
【請求項３】
前記装飾具の取付部の起端部付近および先端部付近にそれぞれホックまたは磁石が設けられ、
前記装飾具の取付部の先端部付近のホックまたは磁石が前記タグの中空状部を貫通した後、前記取付部の先端部付近のホックまたは磁石と前記タグの中空状部に挿入されていない前記取付部の起端部付近のホックまたは磁石とを結合させることを特徴とする請求項１または２記載の装飾靴。
【発明の詳細な説明】
【技術分野】
【０００１】
本発明は、着脱自在に取り付けた装飾具を備える装飾靴に関する。
【背景技術】
【０００２】
従来より、着脱自在に取り付けた装飾具を備える装飾靴が知られている。
【０００３】
この種の装飾靴として、マジックテープ（登録商標）のシート材で足の甲を覆う外皮部分が形成され、そのシート材に別途用意されたマジックテープ（登録商標）等の係着手段を有するワッペン等の装飾片を自在に貼り付けることができるというものがあった（たとえば、特許文献１）。そして、この装飾靴を用いることにより、外部から見える外皮部分が係着性を有するシート材で形成されているので、別途用意した係着性を有する装飾片を適宜取り付けて楽しむことが可能となり、使用者の興味を増進し、かつ名札等を取り付けることにより、持ち主を表示する機能も得られるというものであった。
【０００４】
また、靴、履物のアッパーに小孔があけられ、その小孔に磁石吸着部材のハトメが挿入され、装飾品の下部に磁石を設けられた装飾具がハトメ内に挿着されるというものもあった（たとえば、特許文献２）。そして、この靴、履物を用いることにより、いろいろな形式及び色の装飾具が取り付けられ取替えができるので、女性は靴、履物を新調した気分に成ることができるとともに走っても装飾具が外れ難いというものであった。
【先行技術文献】
【特許文献】
【０００５】
【特許文献１】２００１−３５３００８号公報
【特許文献２】２０１１−１２５６４７号公報
【発明の概要】
【発明が解決しようとする課題】
【０００６】
しかしながら、特許文献１の装飾靴では、マジックテープ（登録商標）でワッペンなどの装飾片を靴に貼り付けているため、長い間使用するとマジックテープ（登録商標）の接着力が弱り、装飾片が靴から外れやすくなるという問題があった。また、特許文献２では、上述した特許文献１のような問題点は生じないが、ハトメが靴等の内部に貫通して取り付けられているため、ハトメが神経が過敏な使用者の足の甲部分に当たり、使用者に不快感を与えるという問題があった。
【０００７】
本発明は上記問題点に鑑みてなされたもので、使用者に不快感を与えることがなく、装飾具が左右に揺れず安定した状態で装飾具を取り付けることができるとともに、容易に取替えが可能な装飾靴を提供することを目的とする。
【課題を解決するための手段】
【０００８】
上記課題を解決し上記目的を達成するために、本発明のうち第１の態様に係るものは、着脱自在に取り付けた装飾具を備える装飾靴であって、使用者が装着したときの足首前方の少なくとも全部または一部を覆い、靴底と結合して形成されたアッパーと、少なくとも２ヶ所以上で足首前方の該アッパーの外側に固着され、該固着された部分の間に中空状部が形成されたタグと、裏側に取付部を備え、該取付部を前記中空状部に挿入することによりタグに取り付けられる装飾具とを有するものである。
【０００９】
本発明によれば、装飾具がアッパーの外側に固着されたタグ具に取り付けられているので、神経が過敏な使用者の足の甲部分に当たることなく、使用者に不快感を与えることがない。また、装飾靴の先端部分付近に配置されているタグ具の中空状部に装飾具の取付部を挿入することにより装飾具が取り付けられ、また取り外すことができるので、装飾具の取替えが容易である。さらに、タグ具の中空状部に装飾具の取付部を挿入することにより装飾具が取り付けられているので、たとえば靴紐などに装飾具を取り付けるのと比較して、装飾具が左右に揺れず安定した状態で装飾具と取り付けることができるとともに、靴紐がほどけ易くなるという問題も生じない。
【００１０】
本発明のうち第２の態様に係るものは、第１の態様に係る装飾靴であって、タグは、３ヶ所で該アッパーの外側に固着され、該固着された部分の間に中空状部が形成され、装飾具は、取付部をそれぞれの中空状部に挿入することによりタグに取り付けられたものである。
【００１１】
本発明によれば、装飾具の取付部をタグとアッパーの外側の間に形成された２つの中空状部にそれぞれ挿入させることにより、装飾具を強固に安定して装着することができる。
【００１２】
本発明のうち第３の態様に係るものは、第１または第２の態様に係る装飾靴であって、  装飾具の取付部の起端部付近および先端部付近にそれぞれホックまたは磁石が設けられ、装飾具の取付部の先端部付近のホックまたは磁石がタグの中空状部を貫通した後、取付部の先端部付近のホックまたは磁石とタグの中空状部に挿入されていない取付部の起端部付近のホックまたは磁石とを結合させるものである。
【００１３】
本発明によれば、装飾具の取付部の先端部付近のホックまたは磁石がタグの中空状部を貫通した後に、取付部の先端部付近のホックまたは磁石とタグの中空状部に挿入されていない取付部の起端部付近のホックまたは磁石とを結合させるので、装飾具が装飾靴から離れることなく安定した状態で取り付けることができる。
【発明の効果】
【００１４】
本発明によれば、装飾具の取替えが容易であるとともに、神経が過敏な使用者の足の甲部分に当たらず使用者に不快感を与えることがない。また、装飾具が左右に揺れず安定した状態で装飾靴に装飾具を取り付けることができる。
【図面の簡単な説明】
【００１５】
【図１】本発明の第１の実施形態における装飾靴の斜視図である。
【図２】同実施形態における装飾靴本体の斜視図である。
【図３】（ａ）  同実施形態における装飾具の上面図である。            （ｂ）  同実施形態における取付部を伸ばした状態の装飾具の裏面図である。            （ｃ）  同実施形態における取付部を折り曲げた状態の装飾具の斜視図である。
【図４】（ａ）  本発明の第２の実施形態における装飾靴本体の斜視図である。            （ｂ）  本発明の第２の実施形態における装飾靴本体の上面図である。
【図５】（ａ）  本発明の第３の実施形態における装飾靴本体の斜視図である。            （ｂ）  本発明の第３の実施形態における装飾靴本体の上面図である。
【図６】（ａ）  本発明の第４の実施形態における装飾靴本体の斜視図である。            （ｂ）  本発明の第５の実施形態における装飾靴本体の上面図である。
【図７】（ａ）  本発明の第５の実施形態における装飾靴本体の斜視図である。            （ｂ）  本発明の第５の実施形態における装飾靴本体の上面図である。
【図８】（ａ）  本発明の変形例１における装飾具の上面図である。            （ｂ）  同変形例１における取付部を伸ばした状態の装飾具の裏面図である。            （ｃ）  同変形例１における取付部を折り曲げた状態の装飾具の斜視図である。
【図９】（ａ）  本発明の変形例２における取付部を伸ばした状態の装飾具の裏面図である。            （ｂ）  同変形例２における取付部を折り曲げた状態の装飾具の斜視図である。
【図１０】（ａ）  本発明の変形例３におけるアッパーの外側に３ヶ所で固着されたタグに装飾具が取付付けられる過程を示す図である。            （ｂ）  ３ヶ所で固着されたタグに取り付けられる装飾具を示す図である。
【発明を実施するための形態】
【００１６】
以下、本発明の装飾靴の一実施形態について図面を参照にしながら説明する。ここで、図１は本発明の第１の実施形態における装飾靴の斜視図であり、図２は同実施形態における装飾靴本体の斜視図である。なお、図１および図２に示す装飾靴１は、パンプス（ローヒール）と呼ばれるタイプの婦人靴である。
【００１７】
装飾靴１は、装飾靴本体２と装飾具３から構成されている（図１参照）。装飾靴本体２は、ゴムを素材として靴の底部を形成する靴底４と、靴底４と結合して形成された革を素材とするアッパー５とを備えている。
【００１８】
アッパー５は、一般的には靴の甲の部分（靴底４を除く上部のすべて）を表す総称であり、本実施形態では、使用者が装着したときの足首前方の少なくとも全部または一部を覆い、靴底と結合して形成された部分のことである。図１および図２では、アッパー５は、直接靴底４と固着しているが、靴底４とアッパー５の間に別部材を挿入して、間接的に靴底４とアッパー５とを結合させてもよい。また、本実施形態では、アッパー５を革を素材として形成させたが、これに限らず、例えば、合皮、布、合成樹脂などを素材として形成させてもよい。これらは、後述する他の実施態様においても同様である。
【００１９】
タグ６は、革製で長方形に形成され、長手方向の両端でアッパー５の外側に縫い合わされて固着されている（図２参照）。そして、タグ６がアッパー５の外側と２ヶ所で固着されることにより、その固着された部分の間に固着されていない中空状部が形成されている。タグ６の表面部分には、ブランド名などの文字が印刷されている（図示略）。これにより、装飾具３が取り付けられていない状態では、ブランド名を使用者に視認させることができる。なお、本実施形態では、タグ６を長方形に形成したが、これに限らず、楕円形などに形成してもよい。また、本実施形態では、タグ６をアッパー５に縫い合わせて固着したが、これに限らず、接着や溶着などにより固着させてもよい。また、本実施形態では、タグ６の素材を革としたが、合皮、金属、布、伸縮性のあるゴムなどでタグ６を形成してもよい。これらは、後述する他の実施態様においても同様である。
【００２０】
次に、装飾具３について図３を参照にしながら詳述する。ここで、図３（ａ）は本発明の第１の実施形態における装飾具の上面図であり、図３（ｂ）は同実施形態における取付部を伸ばした状態の装飾具の裏面図であり、図３（ｃ）は同実施形態における取付部を折り曲げた状態の装飾具の斜視図である。
【００２１】
装飾具３は、花形に形成された装飾部７と、タグ６に装着される取付部８から構成されている。装飾部７の裏側に備えられた取付部８には、先端部付近に凹状のホック９ａが設けられ、起端部付近に凸状のホック９ｂがそれぞれ設けられている。そして、装飾具３の取付部８の先端部付近の凹状のホック９ａがタグ６とアッパー５の間に形成された中空状部を貫通し取付部８が折り返された後に、取付部８の先端部付近の凹状のホック９ａと起端部付近の凸状のホック９ｂを固着させる付けることにより、装飾具３がアッパー５に取り付けられる。また、装飾具３が取り付けられた状態から、取付部８の先端部付近の凹状のホック９ａと起端部付近の凸状のホック９ｂを引き離して、取付部８をタグ６から引き抜くことにより、装飾具３がアッパー５から取り離される。
【００２２】
このように、装飾具３がアッパー５の外側に固着されたタグ６に取り付けられているので、神経が過敏な使用者の足の甲部分に当たることなく、使用者に不快感を与えることがない。また、装飾靴１の先端部分付近に配置されているタグ６の中空状部に装飾具３の取付部８を挿入することにより装飾具３が取り付けられ、また取り外すことができるので、装飾具３の取替えが容易である。さらに、タグ６の中空状部に装飾具３の取付部８を挿入することにより装飾具３が取り付けられているので、たとえば靴紐などに装飾具３を取り付けるのと比較して、装飾具３が左右に揺れず安定した状態で装飾具３と取り付けることができるとともに、靴紐がほどけ易くなるという問題も生じない。
【００２３】
また、装飾具３の取付部８の先端部付近のホック９ａがタグ６の中空状部を貫通した後に、取付部８の先端部付近のホック９ａとタグ６の中空状部に挿入されていない取付部８の起端部付近のホック９ｂとを結合させるので、装飾具３が装飾靴１から離れることなく安定した状態で取り付けることができる。
【００２４】
次に、本発明の第２の実施形態における装飾靴を図４を参照にしながら説明する。ここで、図４（ａ）は本発明の第２の実施形態における装飾靴本体の斜視図であり、図４（ｂ）は本発明の第２の実施形態における装飾靴本体の上面図である。なお、第１の実施形態と同一構成のものについては、同一符号を用い、説明は省略する。また、第２の実施形態のタグについては、第１の実施形態のタグ６と多少大きさが異なるが同様の機能を有するので、第１の実施形態と同一符号を用いる。
【００２５】
第２の実施形態と第１の実施形態では、第１の実施形態では装飾靴本体２としてパンプスを用いたが、第２の実施形態では装飾靴本体２２としてミュールを用いた点で異なる。
【００２６】
第２の実施形態におけるアッパー２５は、使用者が装着したときの足首前方を覆い、靴底２４と結合して形成されている。そして、タグ６は使用者が装着したときの足首前方のアッパー２５の外側に固着されている。なお、装飾靴本体２２としてミュールを用いた点以外については、第１の実施形態と同様であるので、その他の説明は省略する。このように、装飾靴本体２２としてミュールを用いた場合でも、第１の実施形態と同様の作用効果を奏する。
【００２７】
次に、本発明の第３の実施形態における装飾靴を図５を参照にしながら説明する。ここで、図５（ａ）は本発明の第３の実施形態における装飾靴本体の斜視図であり、図５（ｂ）は本発明の第３の実施形態における装飾靴本体の上面図である。なお、第１の実施形態と同一構成のものについては、同一符号を用い、説明は省略する。また、上記同様、第３の実施形態のタグについては、第１の実施形態のタグ６と多少大きさが異なるが同様の機能を有するので、第１の実施形態と同一符号を用いる。
【００２８】
第３の実施形態と第１の実施形態では、第１の実施形態では装飾靴本体２としてパンプスを用いたが、第３の実施形態では装飾靴本体３２としてサンダルを用いた点で異なる。
【００２９】
第３の実施形態におけるアッパー３５は、使用者が装着したときの足首前方を覆い、靴底３４と結合した２本のアッパー３５から形成されている。そして、タグ６は、使用者が装着したときの足首前方のアッパー３５の外側で、前方のアッパー３５に固着されている。なお、装飾靴本体３２としてサンダルを用いた点以外については、第１の実施形態と同様であるので、その他の説明は省略する。このように、装飾靴本体３２としてサンダルを用いた場合でも、第１の実施形態と同様の作用効果を奏する。なお、本実施形態では、タグ６を前方のアッパー３５に固着されたが、これに限らず、後方のアッパーに固着させてもよい。
【００３０】
次に、本発明の第４の実施形態における装飾靴を図６を参照にしながら説明する。ここで、図６（ａ）は本発明の第４の実施形態における装飾靴本体の斜視図であり、図６（ｂ）は本発明の第４の実施形態における装飾靴本体の上面図である。なお、第１の実施形態と同一構成のものについては、同一符号を用い、説明は省略する。また、上記同様、第４の実施形態のタグについては、第１の実施形態のタグ６と多少大きさが異なるが同様の機能を有するので、第１の実施形態と同一符号を用いる。
【００３１】
第４の実施形態と第１の実施形態では、第１の実施形態では装飾靴本体２としてパンプスを用いたが、第４の実施形態では装飾靴本体４２としてスリッパを用いた点で異なる。
【００３２】
第４の実施形態におけるアッパー４５は、使用者が装着したときの足首前方を覆い、靴底４４と結合して形成されている。そして、タグ６は使用者が装着したときの足首前方のアッパー４５の外側に固着されている。なお、装飾靴本体４２としてスリッパを用いた点以外については、第１の実施形態と同様であるので、その他の説明は省略する。このように、装飾靴本体４２としてスリッパを用いた場合でも、第１の実施形態と同様の作用効果を奏する。
【００３３】
次に、本発明の第５の実施形態における装飾靴を図７を参照にしながら説明する。ここで、図７（ａ）は本発明の第５の実施形態における装飾靴本体の斜視図であり、図７（ｂ）は本発明の第５の実施形態における装飾靴本体の上面図である。なお、第１の実施形態と同一構成のものについては、同一符号を用い、説明は省略する。また、上記同様、第５の実施形態のタグについては、第１の実施形態のタグ６と多少大きさが異なるが同様の機能を有するので、第１の実施形態と同一符号を用いる。
【００３４】
第５の実施形態と第１の実施形態では、第１の実施形態では装飾靴本体２としてパンプスを用いたが、第５の実施形態では装飾靴本体５２としてハイヒールを用いた点で異なる。
【００３５】
第５の実施形態におけるアッパー５５は、使用者が装着したときの足首前方を覆い、靴底５４と結合して形成されている。そして、タグ６は使用者が装着したときの足首前方のアッパー５５の外側に固着されている。なお、装飾靴本体５２としてハイヒールを用いた点以外については、第１の実施形態と同様であるので、その他の説明は省略する。このように、装飾靴本体５２としてハイヒールを用いた場合でも、第１の実施形態と同様の作用効果を奏する。その他、ブーツなどの靴にも適用できるが、上記と同様なので、説明は省略する。
【００３６】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【００３７】
以下、本発明の変形例について説明する。なお、本変形例では、上述した第１の実施形態の装飾靴本体を用いて説明するが、これに限らず、第２の実施形態〜第５の実施形態のそれぞれの装飾靴本体についても適用される。
【００３８】
（１）      変形例１
本実施形態では、装飾具３の取付部８にホック９ａ、９ｂを設けて、そのホック９ａ、９ｂ同士を結合させたが、これに限らず、装飾具７３の取付部７８の先端部付近および起端部付近に磁石７９ａ、７９ｂを設けて、両磁石７９ａ、７９ｂにより結合させてもよい。ここで、図８（ａ）は本発明の変形例１における装飾具の上面図であり、図８（ｂ）は同変形例１における取付部を伸ばした状態の装飾具の裏面図であり、図８（ｃ）は同変形例１における取付部を折り曲げた状態の装飾具の斜視図である。なお、装飾具７３は、花形に形成された装飾部７７と、タグ（図示略）に装着される取付部７８から構成されている。
【００３９】
（２）      変形例２
また変形例１の代わりに、装飾具８３の取付部８８にクリップ８９を設け、そのクリップ８９でタグ（図示略）を挟み込むようにしてもよい。ここで、図９（ａ）は本発明の変形例２における取付部を伸ばした状態の装飾具の裏面図であり、図９（ｂ）は同変形例２における取付部を折り曲げた状態の装飾具の斜視図である。なお、装飾具８３は、花形に形成された装飾部８７と、タグ（図示略）に装着される取付部８８から構成されている。
【００４０】
（３）      変形例３
本実施形態では、タグ６をアッパー５の外側に２ヵ所で固着させたが、これに限らず、タグ９６をアッパー９５の外側に３ヵ所以上で固着させてもよい。この場合、タグ９６とアッパー９５が固着された部分の間に中空状部がそれぞれ形成され、それぞれの中空状部に装飾具９３の取付部９８が挿入されることにより、装飾具９３がタグ９６に取り付けられる。ここで、図１０（ａ）は、本発明の変形例３におけるアッパーの外側に３ヶ所で固着されたタグに装飾具が取付付けられる過程を示す図であり、図１０（ｂ）は、３ヶ所で固着されたタグに取り付けられる装飾具を示す図である。図１０では、装飾具９３は、リボンに形成された装飾部９７と、タグ９６に装着される取付部９８から構成されている。なお、本変形例３では、装飾具９３の取付部９８の先端部付近および起端部付近にホック９９ａ、９９ｂを設けて、両ホック９９ａ、９９ｂを結合させているが、上記実施形態および変形例の取付方法であってもよい。
【符号の説明】
【００４１】
１  装飾靴
２  装飾靴本体
３  装飾具
４  靴底
５  アッパー
６  タグ
７  装飾部
８  取付部
９ａ  ホック
９ｂ  ホック
２２  装飾靴本体
２４  靴底
２５  アッパー
３２  装飾靴本体
３４  靴底
３５  アッパー
４２  装飾靴本体
４４  靴底
４５  アッパー
５２  装飾靴本体
５４  靴底
５５  アッパー
７３  装飾具
７７  装飾部
７８  取付部
７９ａ  磁石
７９ｂ  磁石
８３  装飾具
８７  装飾部
８８  取付部
８９  クリップ
９３  装飾具
９５  アッパー
９６  タグ
９７  装飾部
９８  取付部
９９ａ  ホック
９９ｂ  ホック
【図１】
2012143546.tif 000003
【図２】
2012143546.tif 000004
【図３】
2012143546.tif 000005
【図４】
2012143546.tif 000006
【図５】
2012143546.tif 000007
【図６】
2012143546.tif 000008
【図７】
2012143546.tif 000009
【図８】
2012143546.tif 000010
【図９】
2012143546.tif 000011
【図１０】
2012143546.tif 000012